【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
無線通信ネットワークにおいて容量を割り当てるシステムであって、
それぞれが対応するベースバンドプロセッサに接続された複数のベースバンドレベル容量プロセッサであって、前記複数のベースバンドレベル容量プロセッサのそれぞれは、アクティブに接続された無線デバイスの数と、非アクティブに接続された無線デバイスとの数とを決定し、ベースバンドレベルのアクティブな接続の割り当てを保持し、少なくとも１つの要求元無線デバイスからのアクティブな接続の要求に応答する、複数のベースバンドレベル容量プロセッサと、
それぞれが無線基地局に対応し、それぞれが複数のベースバンド容量プロセッサ内のベースバンドレベル容量プロセッサの別個のサブセットに結合される、複数のクライアントレベル容量プロセッサであって、前記複数のクライアントレベル容量プロセッサのそれぞれがアクティブな接続予約を保持し、その対応するベースバンドレベル容量プロセッサのそれぞれに前記ベースバンドレベルのアクティブな接続の割り当てを提供し、クライアントレベル先読み機能を実行してアクティブな接続の将来の要求を決定し、その対応するベースバンドレベル容量プロセッサからのベースバンドレベルの追加のアクティブな接続の割り当ての要求に応答する、複数のクライアントレベル容量プロセッサと、
を備える、システム。
【請求項２】
前記複数のベースバンドレベル容量プロセッサのそれぞれは、各範囲内無線デバイス接続状態を決定することにより、前記アクティブに接続された無線デバイスの数と前記非アクティブに接続された無線デバイスの数とを決定する、請求項１に記載のシステム。
【請求項３】
前記ベースバンドレベル容量プロセッサは、前記アクティブに接続された無線デバイスのそれぞれと、前記非アクティブに接続された無線デバイスのそれぞれとに対応するデバイスカテゴリーを決定する、請求項１に記載のシステム。
【請求項４】
前記ベースバンドレベル容量プロセッサが、
そのベースバンドレベルのアクティブな接続の割り当てから利用可能なアクティブな接続の数を決定するステップと、
アクティブな接続の要求の許可が前記利用可能なアクティブな接続の数を超えるかを決定するステップと、
前記アクティブな接続の要求が前記利用可能なアクティブな接続の数を超えない場合、前記アクティブな接続の要求を許可するステップと、
前記アクティブな接続の要求の許可が前記利用可能なアクティブな接続の数を超える場合、前記ベースバンドレベル容量プロセッサがその対応するベースバンドレベルのアクティブな接続の割り当てを超えることを許可されているかを決定し、また、前記アクティブな接続の要求の許可がオーバーフロー制限を越えるかを決定するステップと、
前記アクティブな接続の要求の許可が前記オーバーフロー制限を超えない場合、前記アクティブな接続の要求を許可するステップと、
前記アクティブな接続の要求の許可が前記オーバーフロー制限を超える場合、前記アクティブな接続の要求を拒否するステップと、
を含むプロセスを使用してアクティブな接続の要求に応答する、請求項１に記載のシステム。
【請求項５】
前記ベースバンドレベルのアクティブな接続の割り当てが複数の接続トークンを備える、請求項４に記載のシステム。
【請求項６】
各ベースバンドレベル容量プロセッサがベースバンドレベル先読み機能を実行する、請求項１に記載のシステム。
【請求項７】
各ベースバンドレベル容量プロセッサが、前記ベースバンドレベル先読み機能の結果に基づいて、そのベースバンドレベルのアクティブな接続の割り当ての余剰部分を前記クライアントレベル容量プロセッサに解放する、請求項６に記載のシステム。
【請求項８】
各クライアントレベル容量プロセッサが、
そのアクティブな接続予約から利用可能なアクティブな接続の数を決定するステップと、
ベースバンドレベルの追加のアクティブな接続の割り当ての要求に対応する第１の量が、前記利用可能なアクティブな接続の数を超えるかを決定するステップと、
前記第１の量が前記利用可能なアクティブな接続の数を超えない場合、前記ベースバンドレベルの追加のアクティブな接続の割り当ての要求を許可するステップと、
前記第１の量が前記利用可能なアクティブな接続の数を超える場合、前記ベースバンドレベル容量プロセッサがそのアクティブな接続予約を超えることを許可されているかを決定し、前記第１の量の提供がオーバーフロー制限を超えるかを決定するステップと、
前記第１の量が前記オーバーフロー制限を超えない場合、ベースバンドレベルの追加のアクティブな接続の割り当ての要求を許可するステップと、
前記第１の量が前記オーバーフロー制限を超えた場合、前記ベースバンドレベルの追加のアクティブな接続の割り当ての要求を拒否するステップと、
を含むプロセスを使用することにより、ベースバンドレベルの追加のアクティブな接続の割り当ての要求に応答する、請求項１に記載のシステム。
【請求項９】
各ベースバンドレベル容量プロセッサがデバイスカテゴリーに応じてそのベースバンドレベルのアクティブな接続の割り当てを保持し、各ベースバンドレベル容量プロセッサがデバイスカテゴリーに応じてベースバンドレベルの追加のアクティブな接続の割り当てを要求し、各クライアントレベル容量プロセッサがデバイスカテゴリーに応じてそのアクティブな接続予約を保持し、各クライアントレベル容量プロセッサがデバイスカテゴリーに応じてベースバンドレベルの追加のアクティブな接続の割り当ての要求に応答する、請求項８に記載のシステム。
【請求項１０】
各クライアントレベル容量プロセッサが、１つ以上の比較的負荷が小さいベースバンドレベル容量プロセッサからのアクティブな接続の余剰を受信し、前記アクティブな接続の余剰の少なくとも一部を、その対応するベースバンドレベル容量プロセッサの別個のサブセット内の１つ以上の比較的負荷が過剰なベースバンドレベル容量プロセッサに分配する、請求項１に記載のシステム。
【請求項１１】
各クライアントレベル容量プロセッサが、その対応するベースバンドレベル容量プロセッサの別個のサブセットのそれぞれに対応する複数の履歴データであって、
時間に応じた前記ベースバンドレベルのアクティブな接続の割り当てに対応する第１のデータと、
前記ベースバンドレベル容量プロセッサがそのベースバンドレベルのアクティブな接続の割り当てを超えた各イベントに対応する第２のデータと、
前記ベースバンドレベル容量プロセッサがベースバンドレベルの追加のアクティブな接続の割り当てを要求する各イベントに対応する第３のデータと、
前記ベースバンドレベル容量プロセッサがそのベースバンドレベルのアクティブな接続の割り当ての余剰部分を前記クライアントレベル容量プロセッサに解放した各イベントに対応する第４のデータと、
を備えるデータを格納する、請求項１に記載のシステム。
【請求項１２】
各クライアントレベル容量プロセッサがデバイスカテゴリーに応じてその対応する複数の履歴データを格納する、請求項１１に記載のシステム。
【請求項１３】
各クライアントレベル容量プロセッサがデバイスカテゴリーに応じてそのクライアントレベル先読み機能を実行する、請求項１に記載のシステム。
【請求項１４】
それぞれが前記複数のクライアントレベル容量プロセッサ内のクライアントレベル容量プロセッサの別個のサブセットに接続された複数のサーバーレベル容量プロセッサであって、各サーバーレベル容量プロセッサがアクティブな接続アクセスプールを保持し、サーバーレベル先読み機能を実行し、その対応するクライアントレベル容量プロセッサからのクライアントレベルの追加のアクティブな接続の割り当ての要求に応答する、複数のサーバーレベル容量プロセッサと、
前記複数のサーバーレベル容量プロセッサに接続されたマスターレベル容量プロセッサであって、前記マスターレベル容量プロセッサがマスターアクティブ接続アクセスプールを保持し、マスターレベル先読み機能を実行し、前記複数のサーバーレベル容量プロセッサのそれぞれからのサーバーレベルの追加のアクティブな接続の割り当ての要求に応答する、マスターレベル容量プロセッサと、
をさらに備える、請求項１に記載のシステム。
【請求項１５】
各サーバーレベル容量プロセッサがデバイスカテゴリーに応じてそのアクティブな接続アクセスプールを保持し、前記マスターレベル容量プロセッサがデバイスカテゴリーに応じて前記マスターアクティブ接続アクセスプールを保持し、前記マスターレベル容量プロセッサがデバイスカテゴリーに応じてサーバーレベルの追加のアクティブな接続の割り当ての要求に応答する、請求項１４に記載のシステム。
【請求項１６】
各サーバーレベル容量プロセッサが、デバイスカテゴリーに応じてそのサーバーレベル先読み機能を実行し、前記マスターレベル容量プロセッサがデバイスカテゴリーに応じて前記マスターレベル先読み機能を実行する、請求項１５に記載のシステム。
【請求項１７】
各クライアントレベル容量プロセッサがそのアクティブな接続アクセスプールの余剰部分をその対応するサーバーレベル容量プロセッサに解放する、請求項１５に記載のシステム。
【請求項１８】
各サーバーレベル容量プロセッサが、１つ以上の比較的負荷の小さいクライアントレベル容量プロセッサからアクティブな接続余剰を受信し、前記アクティブな接続余剰の少なくとも一部をその対応するクライアントレベル容量プロセッサの別個のサブセット内の１つ以上の比較的負荷が過剰なクライアントレベル容量プロセッサに分配する、請求項１５に記載のシステム。
【請求項１９】
無線通信システムにおいて接続容量を動的に割り当てる方法であって、
低い処理レベルで、ベースバンドプロセッサに接続されたアクティブに接続された無線デバイスの数と非アクティブに接続された無線デバイスの数とを決定するステップと、
先読み機能を実行してアクティブな接続の将来のニーズを決定するステップと、
前記アクティブに接続された無線デバイスの数および前記アクティブな接続の将来のニーズを、アクティブな接続の割り当てと比較するステップと、
前記比較するステップが、前記アクティブな接続の割り当てにおけるアクティブな接続の不十分な数を示す場合、上位の処理層から追加のアクティブな接続の割り当ての要求を、前記低い処理レベルからより高い処理レベルへ送信するステップと、
前記比較のステップが前記アクティブな接続の割り当てにおけるアクティブな接続の余剰を示す場合、前記アクティブな接続の余剰を前記上位の処理層に解放するステップと、を含む方法。
【請求項２０】
前記アクティブに接続された無線デバイスの数を決定する前記ステップが、
ａ）無線デバイスに対応するＲＲＣステートパラメータを取得するステップと、
ｂ）前記無線デバイスに対応する１つ以上のＥ−ＲＡＢパラメータを取得するステップと、
ｃ）前記ＲＲＣステートパラメータが接続状態を示し、かつ、前記１つ以上のＥ−ＲＡＢパラメータの少なくとも１つが保証ビットレートＱＣＩを示す場合、前記アクティブに接続された無線デバイスの数をインクリメントするステップと、
を含む請求項１９に記載の方法。
【請求項２１】
前記アクティブに接続された無線デバイスの数を決定する前記ステップが、
ａ）無線デバイスに対応するＲＲＣステートパラメータを取得するステップと、
ｂ）前記無線デバイスに対応する１つ以上のＥ−ＲＡＢパラメータを取得するステップと、
ｃ）前記ＲＲＣステートパラメータが接続状態を示し、かつ、前記１つ以上のＥ−ＲＡＢパラメータの少なくとも１つが非保証ビットレートＱＣＩを示す場合、前記無線デバイスに対応するＰＤＣＰサブ層、ＲＬＣサブ層またはＭＡＣサブ層の少なくとも１つからバッファ状態情報を取得し、また、前記バッファ状態情報がダウンリンクデータがバッファリングされたことを示す場合、前記アクティブに接続された無線デバイスの数をインクリメントするステップと、
を含む、請求項１９に記載の方法。
【請求項２２】
前記アクティブに接続された無線デバイスの数を決定する前記ステップが、
ａ）無線デバイスに対応するＲＲＣステートパラメータを取得するステップと、
ｂ）前記無線デバイスに対応する１つ以上のＥ−ＲＡＢパラメータを取得するステップと、
ｃ）前記ＲＲＣステートパラメータが接続状態を示し、かつ、前記１つ以上のＥ−ＲＡＢパラメータの少なくとも１つが非保証ビットレートＱＣＩを示す場合、前記無線デバイスに対応する非ゼロのバッファステータスレポートが各Ｅ−ＲＡＢパラメータに対応する前記ベースバンドプロセッサによって受信されていたかを決定し、また、前記非ゼロのバッファステータスレポートが前記ベースバンドプロセッサによって受信されていた場合、前記アクティブに接続された無線デバイスの数をインクリメントするステップと、
を含む、請求項１９に記載の方法。
【請求項２３】
前記アクティブに接続された無線デバイスの数を決定する前記ステップが、
ａ）無線デバイスに対応するＲＲＣステートパラメータを取得するステップと、
ｂ）前記無線デバイスに対応する１つ以上のＥ−ＲＡＢパラメータを取得するステップと、
ｃ）前記ＲＲＣステートパラメータが接続状態を示し、かつ、前記１つ以上のＥ−ＲＡＢパラメータの少なくとも１つが非保証ビットレートＱＣＩを示す場合、各Ｅ−ＲＡＢパラメータに対応するＲＬＣリオーダリングタイマーに対応する状態を取得し、また、前記ＲＬＣリオーダリングタイマーが作動している場合、前記アクティブに接続された無線デバイスの数をインクリメントするステップと、
を含む、請求項１９に記載の方法。
【請求項２４】
前記アクティブに接続された無線デバイスの数と前記非アクティブに接続された無線デバイスの数とを決定するステップが、
ａ）無線デバイスに対応するＲＲＣステートパラメータを取得するステップと、
ｂ）前記無線デバイスに対応する１つ以上のＥ−ＲＡＢパラメータを取得するステップと、
ｃ）前記ＲＲＣステートパラメータが接続状態を示し、かつ、前記１つ以上のＥ−ＲＡＢパラメータの少なくともつが非保証ビットレートＱＣＩを示す場合、前記無線デバイスに対応する制御プレーンＣＩｏＴ  ＥＰＳ最適化が使用されているかを決定し、前記無線デバイスに対応するシグナリング無線ベアラが保留中のデータを有するかを決定し、また、一方又は双方が偽である場合は前記非アクティブに接続された無線デバイスの数をインクリメントし、いずれも真である場合は前記アクティブに接続された無線デバイスの数をインクリメントするステップと、
を含む、請求項１９に記載の方法。
【請求項２５】
前記アクティブに接続された無線デバイスの数と前記非アクティブに接続された無線デバイスの数とを決定する前記ステップが、
ａ）無線デバイスに対応するＲＲＣステートパラメータを取得するステップと、
ｂ）前記無線デバイスに対応する１つ以上のＥ−ＲＡＢパラメータを取得するステップと、
ｃ）前記ＲＲＣステートパラメータが接続状態を示し、かつ、前記無線デバイスがＥ−ＲＡＢパラメータを有しない場合、前記無線デバイスに対応する制御プレーンＣＩｏＴ  ＥＰＳ最適化が使用されているかを決定し、前記無線デバイスに対応するシグナリング無線ベアラが保留中のデータを有するかを決定し、また、いずれも真である場合は前記アクティブに接続された無線デバイスの数をインクリメントし、一方又は双方が偽である場合は前記非アクティブに接続された無線デバイスの数をインクリメントするステップと、
を含む、請求項１９に記載の方法。
【請求項２６】
ベースバンドプロセッサに接続されたアクティブに接続された無線デバイスの数と、非アクティブに接続された無線デバイスの数とを決定する前記ステップが、ＬＴＥデバイスカテゴリーを決定するステップを含む、請求項１９に記載の方法。
【請求項２７】
前記先読み機能が、ＬＴＥデバイスカテゴリーに応じてアクティブな接続の将来のニーズを決定する、請求項２６に記載の方法。
【請求項２８】
前記アクティブな接続の割り当てが複数の接続トークンを備える、請求項１９に記載の方法。
【請求項２９】
前記アクティブに接続された無線デバイスの数および前記アクティブな接続の将来のニーズを、アクティブな接続の割り当てと比較する前記ステップが、
割り当てられた接続トークンの現在の数を取得するステップと、
前記割り当てられた接続トークンの現在の数を、前記アクティブに接続された無線デバイスの数の合計に対応する接続トークンの数および前記アクティブな接続の将来のニーズに対応する接続トークンの数と比較するステップと、
前記アクティブに接続されたデバイスの数に対応する接続トークンの数と前記アクティブな接続の将来のニーズに対応する接続トークンの数との合計が、前記割り当てられたトークンの現在の数よりも多い場合、前記合計数−前記割り当てられたトークンの現在の数がソフト制限を超えるかを決定するステップと、
前記合計数−割り当てられたトークンの現在の数が前記ソフト制限を超える場合、追加の接続トークンを要求するステップと、
を含む、請求項２８に記載の方法。
【請求項３０】
前記複数の接続トークンのそれぞれが対応するデバイスカテゴリーを備える、請求項２８に記載の方法。